(57)【要約】【課題】上部筐体と下部筐体の結合状態に応じた適切で安定したステレオ楽音の出力が可能な携帯端末を提供する。【解決手段】回動自在に結合された上部筐体（５）および下部筐体（７）と、ステレオの左右楽音信号を生成する音源部２２と、上部筐体に設けられ左右楽音信号を受けてステレオの左右楽音を発音する複数のスピーカＳＰ１〜ＳＰ３とを具備する携帯端末に関するものである。上記の場合において、上部筐体（５）と下部筐体（７）との結合状態を検出する結合状態センサ１６と、結合状態センサ１６の出力に基づいてステレオの左楽音信号および右楽音信号を出力するスピーカＳＰ１〜ＳＰ３を切り換える音源部２２とを具備する。【選択図】図１
2006157109.tif 000002
【特許請求の範囲】
【請求項１】
回動自在に結合された上部筐体および下部筐体と、ステレオの左右楽音信号を生成する楽音信号生成手段と、前記上部筐体に設けられ前記左右楽音信号を受けてステレオの左右楽音を発音する複数のスピーカとを具備する携帯端末において、
前記上部筐体と前記下部筐体との結合状態を検出する検出手段と、
前記検出手段の出力に基づいてステレオの左楽音信号および右楽音信号を出力するスピーカを切り換える出力切替手段と、
を具備することを特徴とする携帯端末。
【請求項２】
前記複数のスピーカは、前記上部筐体の１辺に並行に配置された第１、第２のスピーカと、前記第１、第２のスピーカの列と垂直な方向に、前記第２のスピーカと並んで配置された第３のスピーカとからなることを特徴とする請求項１に記載の端末装置。
【請求項３】
前記出力切替手段は、前記検出手段の出力に基づいて、ステレオの左楽音信号および右楽音信号を前記第１、第２のスピーカへ出力するかまたは前記第２、第３のスピーカへ出力することを特徴とする請求項２に記載の端末装置。
【請求項４】
前記検出手段は、前記下部筐体の上面（または上部筐体の裏面）に設けられ、９０度の間隔を置いて配置された第１〜第４の接触子と、前記上部筐体の裏面（または下部筐体の上面）の、前記第１〜第４の接触子と当接する位置に設けられた金属片と、前記第１〜第４の接触子と前記金属片との接触状態を検出する検出回路とから構成されることを特徴とする請求項１〜請求項３のいずれかの項に記載の端末装置。
【発明の詳細な説明】
【技術分野】
【０００１】
本発明は、表示画面の状態に応じたステレオ音声を出力することが可能な携帯端末に関する。
【背景技術】
【０００２】
従来、表示画面の状態を変化させることができる携帯端末として、図６（Ａ）及び図６（Ｂ）に示すものが知られている。以下、これらの図面を用いて背景技術について説明する。図６（Ａ）は、リボルバータイプの携帯端末の正面図である。上部筐体５には、画像等を表示することが可能な矩形状の表示画面１が設けられ、また、左下部および右下部に各々スピーカ２、３が設けられている。
【０００３】
また、下部筐体７には、携帯端末を操作するためのキー操作部６が設けられている。キー操作部６は、数字や文字等を入力するためのテンキー６ａと、テンキー６ａの上部に機能を選択するとき等に使用されるファンクションキー６ｂが設けられている。上部筐体５と下部筐体７は回転機構部８によって互いに連結されており、矢印Ｄ１方向あるいはその逆方向に上部筐体５を任意の角度で回転させて表示画面１の状態を変化させることができる。
【０００４】
図６（Ｂ）は、ムービースタイルの携帯端末の側面図である。上部筐体５に矩形状の表示画面１およびスピーカ２、３が設けられている点と、下部筐体７にキー操作部６が設けられている点は、図６（Ａ）で説明したリボルバータイプの携帯端末と同様である。上部筐体５と下部筐体７は第１の回転機構部９及び第２の回転機構部１０によって相互に連結されている。第１の回転機構部９を有することにより、上部筐体５を矢印Ｄ２方向あるいはその逆方向に回転させて表示画面１の状態を変化させることができる。また、第２の回転機構部１０を有することにより、上部筐体５を矢印Ｄ３方向あるいはその逆方向に任意の角度で回転させて表示画面１の状態を変化させることができる。
【０００５】
ところで、これらの図６（Ａ）及び図６（Ｂ）で説明した携帯端末は、上部筐体５の状態に応じて表示画面１の表示方向を変化させるという機能は有しているものの、それに対応してステレオ音声の出力を切り替えるという機能は有していなかったため、上部筐体５を回転させると適切なステレオ音声の出力が得られないという問題があった。
【０００６】
この問題を解決する携帯端末として特許文献１に記載されているものが知られている。この携帯端末は、傾きセンサで表示画面が現在どのような状態にあるかを検知して、ステレオ再生チャンネルのスピーカの出力を切り替えることにより、上記問題を解決している。
【０００７】
しかし、この特許文献１に記載の携帯端末では、わざわざ表示画面の状態を検知する傾きセンサを設ける必要があり、また、使用者は通常携帯端末を手に持って使用するため、使用者のちょっとした動きの変化によってスピーカの出力が変化してしまうという問題があった。
【特許文献１】特開２００３−７８６０１号公報
【発明の開示】
【発明が解決しようとする課題】
【０００８】
本発明は上記事情を考慮してなされたもので、その目的は、上部筐体と下部筐体の結合状態に応じた適切で安定したステレオ楽音の出力が可能な携帯端末を提供する。
【課題を解決するための手段】
【０００９】
上記目的を達成するために、請求項１に記載の発明は、回動自在に結合された上部筐体および下部筐体と、ステレオの左右楽音信号を生成する楽音信号生成手段と、前記上部筐体に設けられ前記左右楽音信号を受けてステレオの左右楽音を発音する複数のスピーカとを具備する携帯端末において、前記上部筐体と前記下部筐体との結合状態を検出する検出手段と、前記検出手段の出力に基づいてステレオの左楽音信号および右楽音信号を出力するスピーカを切り換える出力切替手段と、を具備することを特徴とする
【００１０】
また、請求項２に記載の発明は、前記複数のスピーカは、前記上部筐体の１辺に並行に配置された第１、第２のスピーカと、前記第１、第２のスピーカの列と垂直な方向に、前記第２のスピーカと並んで配置された第３のスピーカとからなることを特徴とする。
【００１１】
また、請求項３に記載の発明は、前記出力切替手段は、前記検出手段の出力に基づいて、ステレオの左楽音信号および右楽音信号を前記第１、第２のスピーカへ出力するかまたは前記第２、第３のスピーカへ出力することを特徴とする。
【００１２】
また、請求項４に記載の発明は、前記検出手段は、前記下部筐体の上面（または上部筐体の裏面）に設けられ、９０度の間隔を置いて配置された第１〜第４の接触子と、前記上部筐体の裏面（または下部筐体の上面）の、前記第１〜第４の接触子と当接する位置に設けられた金属片と、前記第１〜第４の接触子と前記金属片との接触状態を検出する検出回路とから構成されることを特徴とする。
【発明の効果】
【００１３】
この発明によれば、上部筐体と下部筐体との結合状態を検出する検出手段と、検出手段の出力に基づいてステレオの左楽音信号および右楽音信号を出力するスピーカを切り換える出力切替手段とを設けたので、上部筐体と下部筐体の結合状態に応じた適切で安定したステレオ楽音の出力が可能となる。
【００１４】
また、この発明によれば、上部筐体と下部筐体との結合状態に基づいてスピーカを切り換えるので、携帯端末使用者の手ぶれによって楽音が変化することがない利点がある。
【発明を実施するための最良の形態】
【００１５】
図２は、本発明の一実施形態による携帯端末の正面図である。１は矩形状の表示画面、ＳＰ１〜ＳＰ３はスピーカ、５は上部筐体、６はキー操作部、７は下部筐体、８は回転機構部である。
【００１６】
上部筐体５には、矩形状の表示画面１が備え付けられている。また、上部筐体５の左下角には、第１のスピーカＳＰ１が設けられ、また、第１のスピーカＳＰ１から水平方向に離れた、上部筐体５の右下角には第２のスピーカＳＰ２が設けられている。更に、上部筐体５の右上角には、第３のスピーカＳＰ３が設けられている。
【００１７】
下部筐体７には、携帯端末を操作するためのキー操作部６が設けられている。キー操作部６は、数字や文字等を入力するために使用されるテンキー６ａと、機能を選択する等のために使用されるファンクションキー６ｂによって構成されている。そして、上部筐体５と下部筐体７が回転機構部８により相互に回動自在に連結されている。
【００１８】
本明細書において、上部筐体５と下部筐体７が図２に示した状態にある場合を「正面」の状態と呼ぶことにする。また、図２において下部筐体７を固定して上部筐体５を回転機構部８を軸として右回りに９０度回転させた状態を「右向き」の状態と呼ぶことにする。また、図２において下部筐体７を固定して上部筐体５を回転機構部８を軸として右回りに１８０度回転させた状態を「上下反対」の状態と呼ぶことにする。また、図２において下部筐体７を固定して上部筐体５を回転機構部８を軸として右回りに２７０度回転させた状態を「左向き」の状態と呼ぶことにする。
【００１９】
図３（Ａ）〜（Ｃ）は、上部筐体５と下部筐体７との位置関係を検知する機構を説明するための図である。
【００２０】
図３（Ａ）は、図２における携帯端末の上部筐体５の裏面図である。上部筐体５の裏面の回転機構部８のわずか上方には、金属片３１が取付けられている。また、携帯端末の下部筐体７の回転機構部８の周辺部の４箇所には、図３（Ｂ）に示すように、上部筐体５の金属片３１を検知することが可能な接触子３２〜３５が設置されている。
【００２１】
そして、図３（Ｃ）に示すように、上部筐体５が「正面」の位置にある場合は、金属片３１が接触子３２に接触し、上部筐体５が「右向き」の位置にある場合は、金属片３１が接触子３３に接触し、上部筐体５が「上下反対」の位置にある場合は、金属片３１が接触子３４に接触し、上部筐体５が「左向き」の位置にある場合は、金属片３１が接触子３５に接触するようになっている。
【００２２】
図１は、本発明の実施形態に係る携帯端末の電気的構成を示すブロック図である。この携帯端末は、入力部１１、ＲＡＭ(Random Access Memory)１２、ＲＯＭ(Read Only Memory)１３、ＣＰＵ(Central Processing Unit)１４、バイブ１５、結合状態センサ１６、バス１７、通信部１８、アンテナ１８ａ、音声処理部１９、通話用マイク２０、通話用スピーカ２１、音源部２２、ＬＣＤ(Liquid Crystal Display)コントローラ２３、ＬＣＤ ２４、及び、第１のスピーカＳＰ１、第２のスピーカＳＰ２、第３のスピーカＳＰ３を備えている。
【００２３】
入力部１１はテンキー６ａ（図２）、ファンクションキー６ｂ（図２）および入力回路から構成され、携帯端末使用者の指示を入力する。ＲＡＭ １２は、ＣＰＵ １４のワークエリアとして使用されるとともに、音楽ファイルや映像ファイルなどの種々のデータを記憶する。ＲＯＭ １３は、携帯端末の各部を制御するプログラムや通信制御プログラムなどを記憶する不揮発性メモリである。
【００２４】
ＣＰＵ １４は、携帯端末の各部に対して制御命令を出力する中央演算処理装置である。バイブ１５は、携帯端末を振動させることにより、着信があったことなどを携帯端末使用者に知らせる。結合状態センサ１６は、上部筐体５と下部筐体７がどのような結合状態にあるのかを検知するセンサであり、図３において説明した金属片３１および接触子３２〜３５と、それらの接続状態を検出する検出回路とから構成されている。
【００２５】
通信部１８は、アンテナ１８ａや変復調部などから構成される通信手段であり、通信網を介してデータを送受信する機能を有する。音声処理部１９は、通話用マイク２０から入力した携帯端末使用者の音声信号をディジタルデータに変換し、圧縮して通信部１８へ出力する。また、通信部１８から入力された音声データを伸張し、アナログ信号に変換して通話用スピーカ２１へ出力する。
【００２６】
音源部２２は、ＣＰＵ１４から供給される楽音データに基づいて楽音信号を生成し、スピーカＳＰ１〜ＳＰ３へ出力する。なお、詳細は後に図４を用いて説明する。
【００２７】
ＬＣＤコントローラ２３は、ＣＰＵ １４から出力された制御命令や、結合状態センサ１６などから出力された情報から、ＬＣＤ ２４に映像をどのように表示するかを制御する機能を有する。
【００２８】
図４は、音源部２２（図３参照）の構成を示すブロック図である。音源部２２は、Ｉ／Ｆ（Interface）２５、ＦＩＦＯ(First-In First-Out)メモリ２６、シーケンサ２７、音源２８、ＤＡＣ(Digital/Analog Converter)２９、出力切換部３０を備えている。
【００２９】
ＲＡＭ １２などに蓄積される楽音データはＣＰＵ １４の制御により、バス１７及びＩ／Ｆ ２５を介してＦＩＦＯメモリ２６に入力される。また、ＣＰＵ １４からのスピーカの出力切換指示の制御信号がバス１７及びＩ／Ｆ ２５を介して出力切換部３０に入力される。ＦＩＦＯメモリ２６は、入力された楽音データを蓄積した後、入力された順にシーケンサ２７に出力する。シーケンサ２７は、ＦＩＦＯメモリ２６から楽音データを読み出し、音源２８へ出力し、また、楽音データに含まれている時間データが経過した時点で次の楽音データを読み出し、音源２８へ出力し、この動作を繰り返す。
【００３０】
音源２８は、シーケンサ２７から出力された楽音データに基づいて、ステレオの右楽音データと左楽音データをそれぞれ生成し、ＤＡＣ ２９へと出力する。ＤＡＣ ２９は、左右楽音データを左右アナログ楽音信号に変換し、出力切換部３０に出力する。出力切換部３０は、ＤＡＣ ２９から出力された左右アナログ楽音信号を、Ｉ／Ｆ ２５から出力されたスピーカの出力切換指示の信号に基づいて、スピーカＳＰ１〜ＳＰ３のいずれかへ出力する。
【００３１】
次に、上述した携帯端末の動作を図５を参照して説明する。なお、この携帯端末の電話機としての動作は従来のものと同様なので説明を省略し、以下、楽音再生動作について説明する。
【００３２】
図５は、本発明の携帯端末の楽音再生動作を説明するためのフローチャートである。始めに、上部筐体５と下部筐体７が「正面」の状態でステレオ音楽を再生している場合について説明する。「正面」の状態は、上部筐体５と下部筐体７が図２に示した状態にある場合である。
【００３３】
携帯端末に電源を入れると、ステップＳ１からフローチャートに従った処理が開始される。ステップＳ２では、ステレオ音楽が再生されているか否かの判断が行われる。今は、ステレオ音楽を再生中の場合を説明しているので、ステップＳ３へと進む。ステップＳ３では、ＣＰＵ１４が結合状態センサ１６から出力されている上部筐体５と下部筐体７の結合状態をチェックする。今は、上部筐体５と下部筐体７の結合状態が「正面」の場合を説明しているので、ステップＳ５へと進む。
【００３４】
ステップＳ５では、ＣＰＵ１４が「正面」に対応する出力切換指示信号を出力切換部３０へ出力する。これにより、ＤＡＣ ２９から出力される左アナログ楽音信号がスピーカＳＰ１へ、右アナログ楽音信号がスピーカＳＰ２へそれぞれ出力され、ステレオの左楽音がスピーカＳＰ１から、右楽音がスピーカＳＰ２からそれぞれ発生する。
【００３５】
次に、上部筐体５を下部筐体７に対して回転機構部８を軸として、時計回りに９０度回転させた「右向き」の状態でステレオ音楽を再生する場合について説明する。
【００３６】
上部筐体５と下部筐体７の結合状態を「正面」の状態から「右向き」の状態に変化させたため、フローチャートはステップＳ５から、ステップＳ２を経由してステップＳ３に進む。今は、「右向き」の状態の場合を説明しているので、ステップＳ３の判断結果が「右向き」となり、ステップＳ６へと進む。
【００３７】
ステップＳ６では、ＣＰＵ１４が「右向き」に対応する出力切換指示信号を出力切換部３０へ出力する。これにより、ＤＡＣ ２９から出力される左アナログ楽音信号がスピーカＳＰ２へ、右アナログ楽音信号がスピーカＳＰ３へそれぞれ出力され、ステレオの左楽音がスピーカＳＰ２から、右楽音がスピーカＳＰ３からそれぞれ発生する。
【００３８】
次に、上部筐体５を下部筐体７に対して回転機構部８を軸として、更に時計回りに９０度回転させた「上下反対」の状態でステレオ音楽を再生する場合について説明する。
【００３９】
上部筐体５と下部筐体７の結合状態を「右向き」の状態から「上下反対」の状態に変化させたため、フローチャートはステップＳ６から、ステップＳ２を経由して、ステップＳ３に進む。今は、「上下反対」の状態の場合を説明しているので、ステップＳ３の判断結果が「上下反対」となり、ステップＳ７へと進む。
【００４０】
ステップＳ７では、ＣＰＵ１４が「上下反対」に対応する出力切換指示信号を出力切換部３０へ出力する。これにより、ＤＡＣ ２９から出力される左アナログ楽音信号がスピーカＳＰ２へ、右アナログ楽音信号がスピーカＳＰ１へそれぞれ出力され、ステレオの左楽音がスピーカＳＰ２から、右楽音がスピーカＳＰ１からそれぞれ発生する。
【００４１】
次に、上部筐体５を下部筐体７に対して回転機構部８を軸として、更に時計回りに９０度回転させた「左向き」の状態でステレオ音楽を再生する場合について説明する。
【００４２】
上部筐体５と下部筐体７の結合状態を「上下反対」の状態から「左向き」の状態に変化させたため、フローチャートはステップＳ７から、ステップＳ２を経由してステップＳ３に進む。今は、「左向き」の状態の場合を説明しているので、ステップＳ３の判断結果が「左向き」となり、ステップＳ４へと進む。
【００４３】
ステップＳ４では、ＣＰＵ１４が「左向き」に対応する出力切換指示信号を出力切換部３０へ出力する。これにより、ＤＡＣ ２９から出力される左アナログ楽音信号がスピーカＳＰ３へ、右アナログ楽音信号がスピーカＳＰ２へそれぞれ出力され、ステレオの左楽音がスピーカＳＰ３から、右楽音がスピーカＳＰ２からそれぞれ発生する。
【００４４】
次に、ステレオ音楽の再生停止が入力されると、ステップＳ２の判断が「Ｎｏ」となり、ステップＳ８へと進む。ステップＳ８では、スピーカＳＰ１〜ＳＰ３のステレオ音楽の再生を中止して、フローチャートの処理を終了する。
【００４５】
上記のような携帯端末に備え付けられる金属片３１及び接触子３２〜３５による結合状態センサ１６を採用することにより、携帯端末使用者の手が動くことによるステレオ再生音楽の変動を防止することができ、携帯端末使用者に対して安定したステレオ楽音の出力が可能となる。
【００４６】
また、本実施形態によれば、上部筐体５と下部筐体７との機械的な構造を検知してステレオ出力を切り換えているので、傾きセンサを用いて表示画面１の状態を把握してステレオ出力を切り替えるよりも携帯端末の構造を簡単にすることができる。
【００４７】
更に、本実施形態によれば、携帯端末が「正面」、「右向き」、「上下反対」、「左向き」のどの状態にある場合であっても、ステレオ音声が左右のスピーカの同じ高さから出力されるため、表示画面の対角線上の領域に１つずつ、計２つのスピーカを用いてステレオ音声を出力するよりも、より自然なステレオ音声を出力することができる。
【００４８】
なお、本実施形態では、携帯端末が図６（Ａ）に示したリボルバータイプの場合について説明したが、第１の回転機構部９と第２の回転機構部１０のそれぞれについて図３（Ｃ）で説明した回転機構部の構造とすることにより、図６（Ｂ）で説明したようなムービースタイルの携帯端末にも適用することができる。
【００４９】
また、本実施形態では、ステレオ音声を出力する場合について説明したが、出力する音声がモノラルである場合には、スピーカの出力を切り替えないように制御しても良い。
また、本実施形態では、音源部２２は、図４に示す構成で説明したが、音源部２２の構成はステレオ音楽を再生できるものであれば、これに限定されるものではない。また、楽音データもいかなるタイプのものであってもよい。また、楽音データの再生に限らず、携帯端末から出力されるテレビ音声、ラジオ音声、通話音声などのステレオ音声であればいかなるものに適用してもよい。
【００５０】
以上、本発明の実施の形態について図面を参照して説明したが、具体的な構成についてはこれらの実施の形態に限定されるものではなく、本発明の要旨を逸脱しない範囲の設計変更等が可能である。
【産業上の利用可能性】
【００５１】
本発明は、表示画面の状態に応じて適切で安定したステレオ音声の出力が可能な携帯端末に利用することができる。
【図面の簡単な説明】
【００５２】
【図１】本発明の実施形態に係る携帯端末の電気的構成を示すブロック図である。
【図２】同携帯端末の正面図である。
【図３】同携帯端末の上部筐体５と下部筐体７との結合状態を検知する結合状態センサ１６を説明するための概略図である。
【図４】同携帯端末の音源部２２の構成を示すブロック図である。
【図５】同携帯端末の動作を説明するためのフローチャートである。
【図６】従来のリボルバータイプ及びムービースタイルの携帯端末の正面図および側面図である。
【符号の説明】
【００５３】
１・・・矩形状の表示画面、２〜３，ＳＰ１〜ＳＰ３・・・スピーカ、５・・・上部筐体、６・・・キー操作部、６ａ・・・テンキー、６ｂ・・・ファンクションキー、７・・・下部筐体、８〜１０・・・回転機構部、１１・・・入力部、１２・・・ＲＡＭ、１３・・・ＲＯＭ、１４・・・ＣＰＵ、１５・・・バイブ、１６・・・結合状態センサ、１７・・・バス、１８・・・通信部、１９・・・音声処理部、２０・・・通話用マイク、２１・・・通話用スピーカ、２２・・・音源部、２３・・・ＬＣＤコントローラ、２４・・・ＬＣＤ、２５・・・Ｉ／Ｆ、２６・・・ＦＩＦＯメモリ、２７・・・シーケンサ、２８・・・音源、２９・・・ＤＡＣ、３０・・・出力切換部、３１・・・金属片、３２〜３５・・・接続子、Ｄ１〜Ｄ３・・・回転機構部の回転方向
【図１】
2006157109.tif 000003
【図２】
2006157109.tif 000004
【図３】
2006157109.tif 000005
【図４】
2006157109.tif 000006
【図５】
2006157109.tif 000007
【図６】
2006157109.tif 000008